(57)【要約】【課題】導光体内で光の散乱をなくして照明効率の低下を抑えることができる照明装置、画像読取装置及び画像形成装置を提供する。【解決手段】導光体１３の下面１３ｄには、主走査方向に沿って複数の位置決め突起２１が一体に形成され、下側保持板１８に形成した各嵌合穴２２に各位置決め突起２１を嵌合して、下側保持板１８上に、出射面１３ｂが原稿読取領域Ｇ１側を向くように導光体１３を所定角度に傾斜させた状態で位置決め固定し、入射面１３ａから導光体１３内に入射したＬＥＤ光源１２からの光のうち、下面１３ｄの各位置決め突起２１の位置で全反射し、導光体１３内を導光して出射面１３ｂから出射した光が、原稿読取領域Ｇ１に直接的に到達しないように、少なくとも、各位置決め突起２１を下面１３ｄの入射面１３ａと出射面１３ｂとの間の中間位置よりも入射面１３ａに近い側に形成した。【選択図】図３
2014060569.tif 000002
【特許請求の範囲】
【請求項１】
原稿面の読取対象領域を光照射する照明装置であって、
光照射される前記読取対象領域の主走査方向に沿ってライン状に複数配置された発光素子を有する光源と、
前記光源から放射された光を入射面側から入射し、前記読取対象領域側と対向する出射面から出射された光で前記読取対象領域を主走査方向に沿って照明する、主走査方向に扁平な直方体状の光透過性材からなる導光体と、
前記読取対象領域を挟んで、前記導光体の前記出射面と対向するように配置され、前記導光体の前記出射端面から出射した光の一部を前記読取対象領域側に反射させて、前記読取対象領域を主走査方向に沿って照明する反射板と、を備え、
前記導光体の前記原稿面と反対側の下面には、主走査方向に沿って所定間隔で複数の位置決め突起が一体に形成されており、
前記各位置決め突起の位置に対応して嵌合穴が複数形成された導光体保持部材の前記各嵌合穴に前記各位置決め突起を嵌合して、前記導光体保持部材上に、前記出射面が前記読取対象領域側を向くように前記導光体を所定角度に傾斜させた状態で位置決め固定したことを特徴とする照明装置。
【請求項２】
前記入射面から前記導光体内に入射した前記光源からの光のうち、前記下面の前記各位置決め突起の位置で全反射し、前記導光体内を導光して前記出射面から出射した光が、前記読取対象領域に直接的に到達しないように、少なくとも、前記位置決め突起を前記下面の前記入射面と前記出射面との間の中間位置よりも前記入射面に近い側に形成したことを特徴とする請求項１に記載の照明装置。
【請求項３】
前記導光体の前記出射面から出射した光のうちの、前記反射板で反射して前記読取対象領域に到達する照明光の照度が、前記導光体の前記出射面から出射して前記読取対象領域に直接的に到達する照明光の照度よりも小さくなるように、前記反射板の反射率が調整されていることを特徴とする請求項１又は２に記載の照明装置。
【請求項４】
照明装置で原稿面の読取対象領域を副走査方向に沿って光照射し、前記原稿面からの反射光を、ミラーとレンズを有する読取光学系を介して撮像素子に結像させて、原稿画像を読み取る画像読取装置において、
前記照明装置は、請求項１乃至３のいずれか一項に記載の照明装置であることを特徴とする画像読取装置。
【請求項５】
前記照明装置、前記読取光学系及び前記撮像素子が一つの走行体に搭載されていることを特徴とする請求項４に記載の画像読取装置。
【請求項６】
請求項４又は５に記載の画像読取装置と、前記画像読取装置で読み取られた画像情報に基づいて記録媒体上に画像を形成することを特徴とする画像形成装置。
【発明の詳細な説明】
【技術分野】
【０００１】
本発明は、原稿等の被照明面にライン状に照明光を照射する照明装置、該照明装置を照明光学系に用いた画像読取装置、及び該画像読取装置を備えた画像形成装置に関する。
【背景技術】
【０００２】
一般に、複写機、ファクシミリ装置及び複合機等に設けられたスキャナ装置としての画像読取装置では、光源から原稿に光を照射し、原稿からの反射光を複数のミラーで折り返してＣＣＤイメージセンサ等の撮像素子に入射させるようにしている。
【０００３】
近年、このような画像読取装置では、光源の立ち上がりのスピード化、省エネルギー化、長寿命化等の要望があり、光源として点光源であるＬＥＤ（発光ダイオード）を用いた照明装置が採用されている。ところが、点光源と見なせるほど小さい発光面を備える複数のＬＥＤを主走査方向にライン状に実装したＬＥＤ光源を使用した場合、主走査方向にＬＥＤのピッチに相当するリップル状の照度ムラが生じて、主走査方向に均一な照度分布が得られないことになる。
【０００４】
このため、近年、ＬＥＤ光源と照明対象物（原稿）との間に透明樹脂等からなる直方体形状の導光部材を配置し、ＬＥＤ光源から出射された光を導光部材によって、主走査方向に均一な照度分布が得られるようにした照明装置が提案されている（例えば、特許文献１参照）。
【０００５】
前記特許文献１に記載の照明装置は、複数のＬＥＤを主走査方向にライン状に実装したＬＥＤ光源と、入射面から入射した光を出射面から照明対象物（原稿）の被照射領域（原稿読取領域）へ導光させる導光体と、導光体の出射面から出射した光の一部を照明対象物の被照射領域側に反射させる反射部材（リフレクタ）を備えている。
【発明の概要】
【発明が解決しようとする課題】
【０００６】
ところで、前記特許文献１に記載の照明装置では、導光体の両端部（主走査方向の両端部）に、ＬＥＤを実装した基板をビス固定するためのビス穴が形成されている。このため、入射面から導光体内に入射したＬＥＤからの光の一部が前記ビス穴によって散乱することによって、導光体の出射面から被照射領域へ入射される光量が若干減少し、照明効率が低下する。
【０００７】
そこで、本発明は、導光体内で光の散乱をなくして照明効率の低下を抑えることができる照明装置、画像読取装置及び画像形成装置を提供することを目的とする。
【課題を解決するための手段】
【０００８】
前記目的を達成するために本発明は、原稿面の読取対象領域を光照射する照明装置であって、光照射される前記読取対象領域の主走査方向に沿ってライン状に複数配置された発光素子を有する光源と、前記光源から放射された光を入射面側から入射し、前記読取対象領域側と対向する出射面から出射された光で前記読取対象領域を主走査方向に沿って照明する、主走査方向に扁平な直方体状の光透過性材からなる導光体と、前記読取対象領域を挟んで前記導光体の前記出射面と対向するように配置され、前記導光体の前記出射端面から出射した光の一部を前記読取対象領域側に反射させて、前記読取対象領域を主走査方向に沿って照明する反射板と、を備え、前記導光体の前記原稿面と反対側の下面には、主走査方向に沿って所定間隔で複数の位置決め突起が一体に形成されており、前記各位置決め突起の位置に対応して嵌合穴が複数形成された導光体保持部材の前記各嵌合穴に前記各位置決め突起を嵌合して、前記導光体保持部材上に、前記出射面が前記読取対象領域側を向くように前記導光体を所定角度に傾斜させた状態で位置決め固定したことを特徴としている。
【発明の効果】
【０００９】
本発明に係る照明装置によれば、導光体の下面に主走査方向に沿って各位置決め突起を一体に形成し、各位置決め突起を導光体保持部材の各嵌合穴に嵌合して位置決め固定している。このため、導光体内に導光体固定用のビス穴等を設ける必要がないので、入射面から導光体内に入射した光源からの光が、導光体内で散乱することなく出射面から出射して読取対象領域側に向かう。よって、照明効率の低下を抑えて良好に読取対象領域を照明することができる。
【図面の簡単な説明】
【００１０】
【図１】本発明の実施形態１に係る画像読取装置（照明装置）を備えた画像形成装置（複写機）の構成を示す概略図。
【図２】本発明の実施形態１に係る画像読取装置の構成を示す概略図。
【図３】本発明の実施形態１に係る照明装置の構成を示す概略図。
【図４】（ａ）は、実施形態１における導光体の下面側を示す斜視図、（ｂ）は、導光体を保持する下側保持板を示す斜視図。
【図５】導光体の下面の各位置決め突起の位置で全反射し、出射面から出射した照明光が直接的に原稿読取領域に到達していなく、少しずれている状態を示す図。
【図６】導光体の下面の各位置決め突起の位置で全反射し、出射面から出射した照明光が直接的に原稿読取領域に到達している状態を示す図。
【図７】位置決め突起の位置と照度平坦性との関係を示した図。
【図８】本発明の実施形態３に係る画像読取装置の構成を示す概略図。
【発明を実施するための形態】
【００１１】
以下、本発明を図示の実施形態に基づいて説明する。
〈実施形態１〉
図１は、本発明の実施形態１に係る画像読取装置を備えた画像形成装置の一例としての電子写真方式の複写機の構成を示す概略図である。なお、この画像読取装置には、本発明の実施形態１に係る照明装置を備えている。
【００１２】
図１に示すように、本実施形態に係る複写機（画像形成装置）１は、装置本体２の上部側に画像読取装置３を備えている。
【００１３】
（画像読取装置３の構成、動作）
図１、図２に示すように、この画像読取装置３は、照明装置４及び第１ミラー５を搭載した第１キャリッジ６と、第２、第３ミラー７ａ，７ｂを搭載した第２キャリッジ８と、結像レンズ９と、ＣＣＤラインセンサ１０を備えている（照明装置４の詳細については後述する）。なお、画像読取装置３の上部に自動原稿搬送装置（不図示）を備えていてもよい。
【００１４】
画像読取装置３は、コンタクトガラス１１上に載せられた原稿Ｇの画像をスキャンして読み取る場合、第１キャリッジ６及び第２キャリッジ８を図の左右方向（副走査方向）に移動機構（不図示）によって移動させる。この際、第１キャリッジ６及び第２キャリッジ８を副走査方向に移動させる過程で、第１キャリッジ６の照明装置４により原稿Ｇの原稿読取領域Ｇ１を照明し、第１キャリッジ６及び第２キャリッジ８の各ミラー（第１ミラー５、第２、第３ミラー７ａ，７ｂ）により原稿読取領域Ｇ１からの反射光を折り返させ、この折り返された反射光を結像レンズ系９により結像してＣＣＤラインセンサ１０で読み取らせるようになっている。
【００１５】
（複写機（画像形成装置）１の構成、動作）
図１に示すように、本実施形態の複写機１は、４つの画像形成部３１ａ、３１ｂ、３１ｃ、３１ｄ、露光装置３２、中間転写ベルト３３、定着装置３４、給紙カセット３５ａ、３５ｂ等を備えている。
【００１６】
各画像形成部２ａ、２ｂ、２ｃ、２ｄは、感光体ドラム３６、帯電器３７、現像装置３８、１次転写ローラ３９、感光体ドラムクリーニング装置４０をそれぞれ有している（なお、画像形成部３１ｂ、３１ｃ、３１ｄにおけるこれらの部材への符号は省略している）。画像形成部３１ａ、３１ｂ、３１ｃ、３１ｄの各現像装置３８は、現像剤としてのＹ（イエロー）、Ｍ（マゼンタ）、Ｃ（シアン）、Ｋ（ブラック）の各色のトナーがそれぞれ収容されている。
【００１７】
無端ベルト状の中間転写ベルト３３は、複数のローラ（駆動ローラ４１、２次転写対向ローラ４２、第１従動ローラ４３、第２従動ローラ４４）間に掛け渡されて張架されており、駆動ローラ４１の回転駆動により矢印ａ方向に移動する。各画像形成部３１ａ、３１ｂ、３１ｃ、３１ｄの1次転写部材としての各１次転写ローラ３９は、中間転写ベルト３３を間に挟むようにして感光体ドラム３６に当接しており、２次転写対向ローラ３９は、中間転写ベルト３３を間に挟むようにして２次転写ローラ４５に当接している。
【００１８】
定着装置３４は、圧接する定着ローラ４６と加圧ローラ４７を有している。また、２次転写部（２次転写対向ローラ４２と２次転写ローラ４５間）と定着装置３４の定着ニップ（定着ローラ４６と加圧ローラ４７間）の間には、２次転写部にてトナー像が転写された転写材を前記定着ニップへ搬送ガイドする無端ベルト状の搬送ベルト５０が設置されている。
【００１９】
この複写機１の画像形成動作時においては、画像形成部３１ａ、３１ｂ、３１ｃ、３１ｄの所定のプロセススピードで回転駆動される各感光体ドラム３６表面を各帯電器３７によりそれぞれ一様に帯電させる。そして、露光装置３２により、上記した画像読取装置３で読み取られた原稿Ｇの画像データに応じた露光走査を帯電された各感光体ドラム３６表面に行って、静電潜像を形成した後に、各現像装置３８でそれぞれ現像を行うことにより、各色（イエロー、マゼンタ、シアン、ブラック）のトナー像が各感光体ドラム３６表面にそれぞれ形成される。
【００２０】
そして、画像形成部３１ａ、３１ｂ、３１ｃ、３１ｄの各感光体ドラム３６表面にそれぞれ形成された各色のトナー像は、駆動ローラ４１の回転駆動により矢印ａ方向に移動する中間転写ベルト３３表面に、転写バイアスが印加された各１次転写ローラ３９により順次重ね合わされるようにして転写（１次転写）される。なお、１次転写後に各感光体ドラム３６表面に残留している残トナーは、各感光体ドラムクリーニング装置４０により除去される。
【００２１】
そして、給紙カセット３５ａ、３５ｂの選択された一方から１枚ずつ給紙される記録媒体としての用紙Ｐを、搬送路４８を通してレジストローラ４９まで搬送させて一旦止めておく。そして、所定のタイミングでレジストローラ４９を回転させて用紙を２次転写対向ローラ４２と２次転写ローラ４５間の２次転写部に搬送し、転写バイアスが印加された２次転写ローラ４５により中間転写ベルト３３表面に担持されているフルカラーのトナー像を用紙の表面に転写（２次転写）する。
【００２２】
そして、トナー像が転写された用紙は、移動する搬送ベルト５０により定着装置３４に搬送され、定着装置３４の定着ローラ４６と加圧ローラ４７間の定着ニップにより加熱・加圧され、用紙表面にフルカラーのトナー画像が定着される。フルカラーのトナー画像が定着された用紙は、複数の排紙ローラ対５２ａ，５２ｂ，５２ｃを設けた排出搬送路５１を通して排紙トレイ５３上に排出される。
【００２３】
（照明装置４の構成）
図３は、本発明の実施形態１に係る照明装置４を示す概略断面図である。この照明装置４は、上記したように画像読取装置３の第１キャリッジ６に搭載されており、原稿照明用光源として用いられる。なお、図３において、図の左右方向が副走査方向であり、この副走査方向と直交する方向が主走査方向である。
【００２４】
図３に示すように、この照明装置４は、ＬＥＤ光源１２と、光透過性を有する樹脂材からなる導光体１３と、反射面１４ａを有する反射板１４を主要構成部材として備えている。
【００２５】
ＬＥＤ光源１２は、トップビュータイプのＬＥＤが主走査方向に沿ってライン状に所定間隔で複数配置された光源であり、保持板１５に固定された基板１６上に実装されている。なお、ＬＥＤとしては、例えば白色光を発する白色ＬＥＤを用いることができる。
【００２６】
導光体１３は、主走査方向に沿って直方体状に形成されており、ＬＥＤ光源１２と対向する入射面１３ａ、この入射面１３ａと反対側の出射面１３ｂ、コンタクトガラス１１側の上面１３ｃ、この上面１３ｃと反対側の下面１３ｄを有している。なお、出射面１３ｂには、この出射面１３ｂから出射する光が拡散するように、微小な凹凸面状とした拡散処理が施されている。また、導光体１３は、上側保持板１７と下側保持板１８で挟まれるようにして保持されており、上側保持板１７と下側保持板１８の基端側は、保持板１５に複数のネジ１９で固定されている（本発明の特徴である導光体１３の詳細については後述する）。
【００２７】
なお、導光体１３の入射面１３ａ、出射面１３ｂがコンタクトガラス１１上の原稿読取領域Ｇ１側を向くように、保持板１５は、コンタクトガラス１１と平行に配置されたベースプレート２０に所定の角度で傾斜して固定されている。
【００２８】
ベースプレート２０には、コンタクトガラス１１上の原稿読取領域Ｇ１からの反射光を第１ミラー５（図２参照）側に通すための開口部２０ａが形成されている。なお、図３において、符号Ａは、原稿読取領域Ｇ１からの反射光の光軸（以下、「読取光軸」という）である。また、原稿読取領域Ｇ１は、主走査方向に沿ったライン状の領域である。
【００２９】
ベースプレート２０の開口部２０ａ（読取光軸Ａ）を挟んで導光体１３と反対側には、反射板１４の基端部が固定されており、反射板１４の反射面１４ａは、原稿読取領域Ｇ１側を向くように傾斜している。なお、上記したように導光体１３の入射面１３ａ、出射面１３ｂも原稿読取領域Ｇ１側を向いている。
【００３０】
（導光体１３の詳細な構成）
図４（ａ）に示すように、導光体１３の下面１３ｄには、主走査方向に沿って３つの位置決め突起２１が中央部と両側付近に一体に形成されている。これらの位置決め突起２１は、例えば射出成型法を用いることで導光体１３の下面１３ｄに一体に形成することができる。
【００３１】
なお、図４（ａ）では、導光体１３の上下を逆にして、下面１３ｄ側を上にしている。また、図４（ｂ）に示すように、下側保持板１８の表面には、前記３つの位置決め突起２１の位置に応じて３つの嵌合穴２２が主走査方向に沿って形成されている。下側保持板１８の各嵌合穴２２に導光体１３の下面１３ｄに一体に形成した各位置決め突起２１を嵌合することにより、導光体１３が下側保持板１８上にがたつきなく位置決めされて固定される。
【００３２】
導光体１３の下面１３ｄに一体に形成した各位置決め突起２１は、導光体１３の入射面１３ａと出射面１３ｂとの間の中間部よりも少し入射面１３ａ側に位置するようにして設けられている（詳細は後述する）。
【００３３】
そして、図３に示したように、導光体１３の下面１３ｄに形成した各位置決め突起２１を下側保持板１８の各嵌合穴２２に嵌合して位置決め固定し、更に導光体１３の上面１３ｃに上側保持板１７を設置して導光体１３を両面から挟み込み、上側保持板１７と下側保持板１８を傾斜した保持板１５にネジ１９で固定している。この際、保持板１５が所定の角度に傾斜しているので、導光体１３は、その出射面１３ｂが原稿読取領域Ｇ１側を向くように設置されている。例えば、導光体１３は、ベースプレート２０に対して３０度程度傾斜して設置されている。
【００３４】
（照明装置４による原稿照明動作）
【００３５】
ＬＥＤ光源１２から出射される光は所定の広がりを有している。このため、照明装置４による原稿照明動作時には、ＬＥＤ光源１２から出射された光が入射面１３ａから導光体１３内に入射すると、入射角の小さな一部の光は、導光体１３内をそのまま透過して出射面１３ｂから出射し、また、入射角の大きな一部の光は、導光体１３の上面１３ｃと下面１３ｄの間、及び両側面（主走査方向側の側面）の間を全反射しながら出射面１３ｂ側に向かい、出射面１３ｂから出射する。
【００３６】
そして、図３に示したように、導光体１３の出射面１３ｂから出射した光の大部分は原稿読取領域Ｇ１側に向かい、この原稿読取領域Ｇ１付近を照明する。また、導光体１３の出射面１３ｂから出射した光の一部は反射板１４の反射面１４ａ側に向かう。そして、反射板１４は所定角度で傾斜しているので、反射板１４の反射面１４ａで反射した光（反射光）は原稿読取領域Ｇ１側に向かい、この原稿照射領域Ｇ１付近を照明する。
【００３７】
このように、本実施形態の照明装置４は、導光体１３と反射板１４（反射面１４ａ）によって、読取光軸Ａを挟んで原稿読取領域Ｇ１の両方向から照明することができる。よって、この照明装置４を備えている画像読取装置３は、例えば、読取る原稿に折り目や、切り貼りされて紙厚分の段差がある場合でも、これらの部分に照明影が生じることが防止して、高品位な原稿読取を行うことができる。
【００３８】
また、本実施形態の照明装置４は、上記したように導光体１３の下面１３ｄに各位置決め突起２１を一体に形成し、各位置決め突起２１を下側保持板１８の各嵌合穴２２に嵌合して位置決め固定している。このため、導光体１３内に導光体固定用のビス穴等を設ける必要がないので、入射面１３ａから導光体１３内に入射したＬＥＤ光源１２からの光が、導光体１３内で散乱することなく出射面１３ｂから出射して原稿読取領域Ｇ１側に向かう。よって、照明効率の低下を抑えて良好に原稿読取領域Ｇ１を照明することができる。
【００３９】
また、導光体１３の下面１３ｄに各位置決め突起２１を一体に形成し、各位置決め突起２１を下側保持板１８の各嵌合穴２２に嵌合して位置決め固定することにより、導光体１３を安定して下側保持板１８上に固定することができる。更に、各位置決め突起２１は、射出成型によって導光体１３の下面１３ｄに容易に一体に形成できるので、低コスト化を図ることができる。
【００４０】
ところで、導光体１３の出射面１３ｂから出射した光が主走査方向に沿った原稿読取領域Ｇ１付近を直接的に照明する際に、入射面１３ａから導光体１３内に入射したＬＥＤ光源１２からの光のうち、下面１３ｄの各位置決め突起２１の位置で全反射し、上面１３ｃとの間で全反射を繰り返す光が出射面１３ｂから出射して原稿読取領域Ｇ１に到達する場合（以下、位置決め突起２１の位置に対応している原稿読取領域Ｇ１への照明光を「位置決め突起領域照明光」という）、この位置決め突起領域照明光の照度（照明輝度）は、位置決め突起２１内での光の反射に起因して、原稿読取領域Ｇ１を照明する他の照明光の照度よりも少し低下する。
【００４１】
このため、導光体１３の出射面１３ｂから出射した光が原稿読取領域Ｇ１付近を直接的に照明する際に、上記した位置決め突起領域照明光が含まれていると、原稿読取領域Ｇ１での照度平坦性が低下し、原稿読取領域Ｇ１を均一に照明できなくなる。なお、本実施形態における原稿読取領域Ｇ１での照度平坦性（％）は、以下の式（１）で定義した値である。
【００４２】
照度平坦性（％）＝（主走査方向に沿った原稿読取領域Ｇ１における最小照度）／主走査方向に沿った原稿読取領域Ｇ１における最大照度）×１００      …式（１）
【００４３】
そこで、本願発明者の実験によれば、図５に示すように、導光体１３の傾斜角を３０度、導光体１３の出射面１３ｂと入射面１３ａとの間の距離Ｌ１を１０ｍｍ、出射面１３ｂと位置決め突起２１との間の距離Ｌ２を６〜７ｍｍ、導光体１３の厚みＤを４ｍｍとしたときに、上記した位置決め突起領域照明光の光束Ｃ（斜線で示した領域）は、直接的には原稿読取領域Ｇ１に到達していなく、少しずれている。
【００４４】
これにより、導光体１３の出射面１３ｂから直接的に原稿読取領域Ｇ１を照明する照明光に前記位置決め突起領域照明光が含まれないので、原稿読取領域Ｇ１での照度平坦性が向上し、原稿読取領域Ｇ１を均一に照明することができる。よって、この照明装置４を備えている画像読取装置３は、高品位な原稿読取を行うことができる。更に、この画像読取装置３を備えている複写機（画像形成装置）１は、画像形成動作で高品位な画像を出力することができる。
【００４５】
一方、図６に比較例は、出射面１３ｂと位置決め突起２１との間の距離Ｌ２（位置決め突起２１の位置）が３ｍｍのときの場合であり、上記した位置決め突起領域照明光の光束Ｃ（斜線で示した領域）の一部が、原稿読取領域Ｇ１に直接的に到達して入射している。なお、図５、図６では、導光体１３を挟んで固定している上側保持板１７、下側保持板１８、保持板１５、ＬＥＤ光源１２を実装している基板１６等は省略している。
【００４６】
図７は、出射面１３ｂと位置決め突起２１との間の距離Ｌ２（位置決め突起２１の位置）を１〜８ｍｍの間で変化させたときの照度平坦性（％）の測定結果である。この測定結果から明らかなように、出射面１３ｂと位置決め突起２１との間の距離Ｌ２（位置決め突起２１の位置）が、６〜７ｍｍのときに最も照度平坦性が良かった。
【００４７】
図７に示すように、出射面１３ｂと位置決め突起２１との間の距離Ｌ２（位置決め突起２１の位置）が３ｍｍのとき（図６の比較例）は、原稿読取領域Ｇ１での照度平坦性は約８４．７％であったが、位置決め突起２１の位置が６〜７ｍｍのとき（図５の実施形態１）は、原稿読取領域Ｇ１での照度平坦性は約８６．１％に上昇した。
【００４８】
〈実施形態２〉
図３に示した実施形態１に係る照明装置４では、上記したように導光体１３の出射面１３ｂから出射した光の大部分は原稿読取領域Ｇ１側に向かい、この原稿読取領域Ｇ１付近を照明する。また、導光体１３の出射面１３ｂから出射した光の一部は反射板１４の反射面１４ａ側に向かう。そして、反射板１４は所定角度で傾斜しているので、反射板１４の反射面１４ａで反射した光（反射光）は原稿読取領域Ｇ１側に向かい、この照射領域Ｇ１付近を照明する。
【００４９】
そして、本実施形態では、導光体１３の出射面１３ｂから出射し反射板１４の反射面１４ａを介して原稿読取領域Ｇ１に到達する照明光（以下、「反射照明光」という）の照度が、導光体１３の出射面１３ｂから出射して原稿読取領域Ｇ１に直接的に到達する照明光（直接照明光）の照度よりも小さくなるようにしている。例えば、反射面１４ａを表面処理して反射率を調整することで、反射照明光の照度を小さくすることができる。
【００５０】
本実施形態では、直接照明光に対する反射照明光の照度比率（％）が３５％程度となるように設定している。この場合には、直接照明光の照度を１とすると、反射照明光の照度が０．３５であることを意味している。
【００５１】
上記した直接照明光に対する反射照明光の照度比率（％）は、以下の式（２）で定義した値である。
【００５２】
直接照明光に対する反射照明光の照度比率（％）＝［（反射板１４の反射面１４ａを介して原稿読取領域Ｇ１を照明する光束による中央照度）／（導光体１３側から直接原稿読取領域Ｇ１を照明する光束による中央照度＋反射板１４の反射面１４ａを介して原稿読取領域Ｇ１を照明する光束による中央照度）］×１００      …式（２）
なお、式（２）において、中央照度は、原稿読取領域Ｇ１における主走査方向中央における照度である。
【００５３】
実施形態１の照明装置４では、上記したように位置決め突起領域照明光の光束Ｃ（図５参照）は、直接的には原稿読取領域Ｇ１に到達していないが、その一部は反射板１４の反射面１４ａに入射し、反射面１４ａで反射して原稿読取領域Ｇ１に到達する。
【００５４】
よって、本実施形態のように、直接照明光に対する反射照明光の照度比率を小さくしておくことで、反射面１４ａで反射して原稿読取領域Ｇ１に到達する位置決め突起領域照明光の割合を小さくできる。これにより、原稿読取領域Ｇ１での照度平坦性が向上し、原稿読取領域Ｇ１をより均一に照明することができる。
【００５５】
〈実施形態３〉
図８は、本発明の実施形態３に係る上記した照明装置４を備えた画像読取装置を示す概略構成図である。
【００５６】
図８に示すように、本実施形態の画像読取装置は、上記した実施形態１の照明装置４と、ミラー２３と、結像レンズ２４と、ＣＣＤラインセンサ２５を備え、これらのすべての部材が一つの走行体（キャリッジ）２６に搭載されている。そして、この走行体（キャリッジ）２６を副走査方向に移動させることで、上記同様に高品位な原稿読取を行うことができる。
【００５７】
また、本実施形態の画像読取装置は、実施形態１の画像読取装置よりも部品数を削減して装置全体の小型軽量化を図ることができるので、走行体２６をより高速で動かすことが可能となり、画像読み取りの高速化を図ることができる。
【符号の説明】
【００５８】
１        複写機（画像形成装置）
３        画像読取装置
４        照明装置
１２      ＬＥＤ光源（光源）
１３      導光体
１３ａ    入射面
１３ｂ    出射面
１３ｃ    上面
１３ｄ    下面
１４      反射板
１４ａ    反射面
１８      下側保持板（導光体保持部材）
２１      位置決め突起
２２      嵌合穴
Ｇ１      原稿読取領域（読取対象領域）
【先行技術文献】
【特許文献】
【００５９】
【特許文献１】特開２００８−１７２５６４号公報
【図１】
2014060569.tif 000003
【図２】
2014060569.tif 000004
【図３】
2014060569.tif 000005
【図４】
2014060569.tif 000006
【図５】
2014060569.tif 000007
【図６】
2014060569.tif 000008
【図７】
2014060569.tif 000009
【図８】
2014060569.tif 000010